【手続補正書】
【提出日】令和1年6月7日(2019.6.7)
【手続補正１】
【補正対象書類名】特許請求の範囲
【補正対象項目名】請求項９
【補正方法】変更
【補正の内容】
【請求項９】
請求項１から８のいずれかに記載の除湿エレメントであって、
上記筒状ケース内に、両端に一対の管開口部をそれぞれ有する中空の内管が、上記軸方向に沿って収容されていて、
上記内管の両端部が、上記一対のポッティング材を貫通しており、
上記内管と筒状ケースとの間に、上記除湿用空間が形成されている、
ことを特徴とするもの。
【手続補正２】
【補正対象書類名】明細書
【補正対象項目名】０００９
【補正方法】変更
【補正の内容】
【０００９】
なお、上記除湿エレメントにおいては、上記筒状ケース内に、両端に一対の管開口部をそれぞれ有する中空の内管が、上記軸方向に沿って収容されていて、上記内管の両端部が、上記一対のポッティング材を貫通しており、上記内管と筒状ケースとの間に、上記除湿用空間が形成されていてもよい。
【手続補正３】
【補正対象書類名】明細書
【補正対象項目名】００１６
【補正方法】変更
【補正の内容】
【００１６】
上記除湿エレメント１は、図３乃至図６に示すように、軸Ｌ方向に延びる中空の円筒形に形成され、その軸Ｌ方向両端の第１及び第２端部２３，２４に、第１及び第２筒開口部２１，２２をそれぞれ有する筒状ケース２と、該筒状ケース２内に上記軸Ｌ方向に沿って収容された複数の中空糸膜３と、上記筒状ケース２よりも小径の円筒形を成して該筒状ケース２内に同軸に収容され、その軸Ｌ方向両端の第１及び第２端部４３，４４に、第１及び第２管開口部４１，４２をそれぞれ有する中空の内管４とを備えている。すなわち、本実施形態において、上記第１及び第２筒開口部２１，２２は、上記筒状ケース２の第１端部２３と上記内管４の第１端部４３との間、及び、該筒状ケース２の第２端部２４と該内管４の第２端部４４との間に、それぞれ環状に形成されている。
【手続補正４】
【補正対象書類名】明細書
【補正対象項目名】００２１
【補正方法】変更
【補正の内容】
【００２１】
このような構成を有する外環リング２５ａ，２５ｂ及び内環リング４５ａ，４５ｂは、それらの環状溝２６ａ，４６ａに上記第１及び第２ポッティング材５，６が侵入して、該ポッティング材５，６に対し軸Ｌ方向に係止された状態で、その外周壁及び内周壁にそれぞれ嵌着されている。そして、図４及び図５に示すように、上記ガイド板４７の長手方向両端におけるポッティング材５，６に埋設された第１及び第２端部４７ａ，４７ｂの幅方向両側端が、上記外環リング２５ａ，２５ｂ及び内環リング４５ａ，４５ｂの各位置決め溝２６ｂ，４６ｂに嵌合され、それにより、これらガイド板７が、上述のように放射状に位置決めされた状態で、該ポッティング材５，６に対して固定されている。その結果、本実施形態においては、上記ガイド板４７が、除湿用空間７の軸Ｌ方向全体に亘って延設された状態となっている。
【手続補正５】
【補正対象書類名】明細書
【補正対象項目名】００２２
【補正方法】変更
【補正の内容】
【００２２】
また、上記筒状ケース２の第１及び第２端部２３，２４の内側壁には、それぞれ環状段部２３ａ，２４ａが形成されていて、これら環状段部２３ａ，２４ａに上記外環リング２５ａ，２５ｂがそれぞれ嵌合されている。そうすることで、上記筒状ケース２内に収容された上記中空糸膜３やポッティング材５，６やガイド板４７等の内容物が、軸Ｌ方向において該筒状ケース２に対し固定されている。
なお、上記ガイド板４７は、例えば内管４と一体に形成されていてもよく、この場合、このような内環リング４５ａ，４５ｂは必ずしも設ける必要性はない。
【手続補正６】
【補正対象書類名】明細書
【補正対象項目名】００２３
【補正方法】変更
【補正の内容】
【００２３】
さらに、上記除湿エレメント１には、上記パージ流路５８に接続されてパージエアを上記除湿用空間７に供給するための給気孔３５と、該除湿用空間７からの上記パージエアを外部に排出するための排気孔３６とが、上記除湿用空間７の軸Ｌ方向一端側と他端側とにそれぞれ開設されている。具体的には、これら給気孔３５及び排気孔３６は、上記筒状ケース２に開設されており、除湿エレメント１の軸Ｌ方向中央Ｏ（すなわち、除湿用空間７の軸方向中央Ｏ）と第１ポッティング材５との間、及び該中央Ｏと第２ポッテイング材６との間とにそれぞれ開設されている。
【手続補正７】
【補正対象書類名】明細書
【補正対象項目名】００２４
【補正方法】変更
【補正の内容】
【００２４】
そして、上記給気孔３５及び排気孔３６の対が、上記筒状ケース２の周方向に等角度間隔（本実施形態では４５度間隔）で開設されていて、それにより、上記複数のガイド板４７によって上記除湿用空間７に形成された複数の領域（本実施形態では８つの領域）にそれぞれ設けられている。また、排気孔３６は給気孔３５よりも大径すなわち大面積に形成されていて、それにより、除湿用空間７内を流通するパージエアの圧力上昇を防止することができるようになっている。このように、上記オリフィス５９の作用と共に除湿用空間７内におけるパージエアの圧力をより低く保つことにより、中空糸膜３内を流通する被除湿エアの水蒸気を効率よく中空糸膜３の外側に透過させることが可能となり、その結果、除湿エレメント１の除湿効率が向上する。ただし、給気孔３５と排気孔３６の大きさは必ずしも異なっている必要性はなく、互いに同じ大きさであってもよい。
【手続補正８】
【補正対象書類名】明細書
【補正対象項目名】００３４
【補正方法】変更
【補正の内容】
【００３４】
そして、本実施形態では、第１キャップ部材５１に被除湿エアの導入流路５５と乾燥エアの導出流路５６の双方を設けているが、第１キャップ部材５１に導入流路５５及び導出流路５６の何れか一方の流路を設け、第２キャップ部材５２に何れか他方の流路を設けたりしてもよい。その場合、上記除湿エレメント１においては、上記内管４は省略してもよいし、該内管４の一端を気密に閉塞するなどして、該内管４をパージ流路５８として利用し、該内管４に上記パージエアの給気孔３５を開設してもよい。また、上記各キャップ部材５１，５２は、上記除湿エレメント１に対して必ずしも着脱可能でなくてもよい。
さらに、上記ガイド部材４７は、除湿用空間７を軸Ｌ方向から見たときに、必ずしも軸Ｌを中心とした放射方向に配されている必要性はなく、例えば格子状に配置されていてもよい。
【手続補正９】
【補正対象書類名】明細書
【補正対象項目名】００３５
【補正方法】変更
【補正の内容】
【００３５】
１  除湿エレメント
２  筒状ケース
３  中空糸膜
４  内管
５  第１ポッティング材
６  第２ポッティング材
７  除湿用空間
２１  筒状ケースの第１筒開口部
２２  筒状ケースの第２筒開口部
２３  筒状ケースの第１端部
２４  筒状ケースの第２端部
２３ａ，２４ａ  環状段部
２５ａ，２５ｂ  外環リング
２６ａ  外環リングの環状溝
２６ｂ  外環リングの位置決め溝
３３  中空糸膜の第１端部
３４  中空糸膜の第２端部
３５  パージエアの給気孔
３６  パージエアの排気孔
４１  内管の第１管開口部
４２  内管の第２管開口部
４３  内管の第１端部
４４  内管の第２端部
４５ａ，４５ｂ  内環リング
４６ａ  内環リングの環状溝
４６ｂ  内環リングの位置決め溝
４７  ガイド板（ガイド部材）
４７ａ  ガイド板の第１端部
４７ｂ  ガイド板の第２端部
４９  隙間
５０  除湿装置
５１  第１キャップ部材
５２  第２キャップ部材
５３  導入ポート
５４  導出ポート
５５  導入流路
５６  導出流路
５８  パージ流路
５９  オリフィス
６０  接続流路
６１  連結ロッド
６２  第１雄ネジ部
６３  第２雄ネジ部
６４  第１雌ネジ部
６５  第２雌ネジ部
６６  締結ボルト
Ｌ  軸
Ｏ  軸方向中央